(57)【特許請求の範囲】
【請求項１】
複数の端子金具を収容するキャビティを有し背面側から前記端子金具に接続された複数の電線を導出可能なコネクタハウジングと、
前記コネクタハウジングの背面から導出される前記電線を覆うとともに、これら電線を外部に引き出すための電線引き出し口が開口して形成され、かつ前記コネクタハウジングの背面に対して、前記電線引き出し口の開口方向が相互に反対向きとなる第１の取付け姿勢と第２の取付け姿勢とでもって選択的に取り付け可能な電線カバーとを備え、
前記コネクタハウジングには、このコネクタハウジングの背面に貫通して検知部材が挿通可能な検知路が形成される一方、
前記電線カバーにおける前記検知路の延長線上の部位には、前記電線カバーが前記第１・第２の取付け姿勢のうちのいずれか一方の取付け姿勢にあるときには前記検知部材と前記電線カバーとが干渉し、他の一方の取付け姿勢にあるときには非干渉となる検知部位が設けられていることを特徴とする電線カバー付きコネクタ。
【請求項２】
前記コネクタハウジングには、前記検知部材がそれぞれ挿通される検知路が複数形成され、前記検知路の中には前記第１・第２のいずれの取付け姿勢にあるときにも前記検知部材と前記電線カバーとを干渉させるものが含まれていることを特徴とする請求項１記載の電線カバー付きコネクタ。
【請求項３】
前記電線カバーは、前記コネクタハウジングの背面に向けて開口し前記コネクタハウジングから導出される電線を包囲して収容する中空のカバー部と、このカバー部の内部に連通しつつ前記カバー部から前記コネクタハウジングの嵌合方向と交差する方向へ突出してこの突出方向に向けて前記電線の導出方向を矯正する矯正部とからなるとともに、前記電線カバーは、前記カバー部の開口縁を前記コネクタハウジングの背面に対向させた状態で前記コネクタハウジングに取付けられており、
また、前記カバー部の開口縁部の一部を切り欠くことによって前記検知部位が形成されていることを特徴とする請求項１又は２に記載の電線カバー付きコネクタ。
【発明の詳細な説明】
【技術分野】
【０００１】
本発明は電線カバー付きコネクタに関するものである。
【背景技術】
【０００２】
コネクタハウジングの背面から引き出される電線を一まとめにした状態で所望とする方向に導出させたい、という要請がある。このような要請に応えるものとして、コネクタハウジングの背面に電線カバーを装着したものがある。一例として、下記特許文献１のものが知られている。
【０００３】
このものでは、電線カバーの一部に電線引き出し口が開口し、ここから電線を集約して導出させるようにしている。また、この従来技術では電線の導出方向を２方向に選択できるよう、電線引き出し口を右向きあるいは左向きといったように、電線カバー取付け姿勢を２種類で選択できるようにしている。
【先行技術文献】
【特許文献】
【０００４】
【特許文献１】特開平８−２９８１６０号公報
【発明の概要】
【発明が解決しようとする課題】
【０００５】
しかし、上記のものでは取付け姿勢が選択できる反面、誤って正規取付け姿勢とは逆向きに取付けてしまう虞がある。すると、誤った取付姿勢のまま組付け工程にまで流動してしまう、という問題点があった。
【０００６】
本発明は上記のような事情に基づいて完成されたものであって、電線カバーが正規の取付け姿勢で取り付けられているか否かを簡単に判別することができる電線カバー付きコネクタを提供することを目的とする。
【課題を解決するための手段】
【０００７】
本発明の電線カバー付きコネクタは、複数の端子金具を収容するキャビティを有し背面側から前記端子金具に接続された複数の電線を導出可能なコネクタハウジングと、コネクタハウジングの背面から導出される電線を覆うとともに、これら電線を外部に引き出すための電線引き出し口が開口して形成され、かつコネクタハウジングの背面に対して、電線引き出し口の開口方向が相互に反対向きとなる第１の取付け姿勢と第２の取付け姿勢とでもって選択的に取り付け可能な電線カバーとを備え、コネクタハウジングには、このコネクタハウジングの背面に貫通して検知部材が挿通可能な検知路が形成される一方、電線カバーにおける検知路の延長線上の部位には、電線カバーが第１・第２の取付け姿勢のうちのいずれか一方の取付け姿勢にあるときには検知部材と電線カバーとが干渉し、他の一方の取付け姿勢にあるときには非干渉となる検知部位が設けられていることを特徴とする。
【発明の効果】
【０００８】
本発明によれば、電線カバーは求められる仕様に応じて電線引き出し口の向きを変えてコネクタハウジングの背面に取付けることができる。その場合に、所望とする仕様通りに電線カバーが装着されているかどうかの検査がなされる。検査では、コネクタハウジングの検知路に対して検知部材が挿通される。そのとき、電線カバーが第１の取付け姿勢か第２の取付け姿勢のいずれの姿勢によって装着されているかで、検知部材は検知部位に干渉したりあるいは干渉しなかったりする。この相違をもって電線カバーが所望とする取付け姿勢で装着されているか否かを判別することができる。したがって、電線カバーが誤った組付け姿勢のまま後工程に移送されてしまう事態を回避することができる。
【図面の簡単な説明】
【０００９】
【図１】電線カバーが第１の取付け姿勢で装着されているときの雌コネクタの平面図
【図２】雌コネクタハウジングの正面図
【図３】電線カバーが第１の取付け姿勢で装着されているときの検知状況を示す平断面図
【図４】電線カバーが第２の取付け姿勢で装着されているときの雌コネクタの平面図
【図５】電線カバーが第２の取付け姿勢で装着されているときの検知状況を示す平断面図
【図６】電線カバーを取り外したときの雌コネクタを示す平面図
【図７】電線カバーが装着されていないときの検知状況を示す平断面図
【図８】電線カバーの底面図
【図９】電線カバーの平面図
【図１０】電線カバーの背面図
【発明を実施するための形態】
【００１０】
本発明における好ましい実施の形態を説明する。
（１）本発明の電線カバー付きコネクタにおいて、前記コネクタハウジングには、前記検知部材がそれぞれ挿通される検知路が複数形成され、前記検知路の中には前記第１・第２のいずれの取付け姿勢にあるときにも前記検知部材と前記電線カバーとを干渉させるものが含まれる構成とすることが好ましい。
このような構成によれば、検知路のうち検知部位と対応するものによって電線カバーが第１取付け姿勢にあるのか、第２の取付け姿勢にあるのかが判別できる。加えて、検知路のうち電線カバーがいずれの取付け姿勢にあっても検知部位と対応せず、電線カバーと干渉するものが含まれるようにすれば、電線カバーの装着忘れ（あるいは電線カバーを持たない仕様の場合を含む）があった場合には当該検知路に挿通された検知部材は非干渉となるため、装着忘れ等の事態も判別できる。
（２）また、前記電線カバーは、前記コネクタハウジングの背面に向けて開口し前記コネクタハウジングから導出される電線を包囲して収容する中空のカバー部と、このカバー部の内部に連通しつつ前記カバー部から前記コネクタハウジングの嵌合方向と交差する方向へ突出してこの突出方向に向けて前記電線の導出方向を矯正する矯正部とからなるとともに、前記電線カバーは、前記カバー部の開口縁を前記コネクタハウジングの背面に対向させた状態で前記コネクタハウジングに取付けられており、かつ前記カバー部の開口縁部の一部を切り欠くことによって前記検知部位が形成されるように構成してもよい。
このように、検知部位がカバー部の開口縁部に形成される構成とすれば、カバー部の開口縁部が検知部材との干渉・非干渉の部位となる。したがって、検知部材による突き当て力を受けてもカバー部が変形してしまう事態を回避することができる。
【００１１】
＜実施例＞
次に、本発明の電線カバー付きコネクタを具体化した実施例について、図面を参照しつつ説明する。
【００１２】
図１には、本実施例に係る雌コネクタＦの全体が示されている。雌コネクタＦは合成樹脂製の雌コネクタハウジング８を有している。図２に示すように、雌コネクタハウジング８は図示しない雄コネクタの内側へ嵌合可能なブロック状に形成されている。全体としては、同図に示すように、本体部８Ａとこの本体部８Ａの片側（図示上部側）に配されたレバー収容部８Ｂとから一体に形成された構造となっている。
【００１３】
本体部８Ａには雌端子金具を収容するためのキャビティ９が複数室、形成されている。キャビティ９は図２に示すように、高さ方向及び幅方向に並列して配されている。
【００１４】
図２、図４、図６に示すように、レバー収容部８Ｂは本体部８Ａの図示上面側において、そのほぼ全面に亘る広さをもって一体に形成されており、その内部には後述するレバー６が回動可能に組み込まれている。レバー収容部８Ｂは嵌合方向後方へ開口する中空の枠状に形成されている。レバー収容部８Ｂには図４等に示すように、図示はしないが、雄コネクタ側のカムフォロアをレバー収容部８Ｂ内に導入するための導入用開口１５が開口している。レバー収容部８Ｂの端部寄りには同様に図示しない雄コネクタ側に形成された解除リブを導入するための進入溝１６が開口している。
【００１５】
次に、レバー６について説明すると、レバー６もまた合成樹脂材によって一体に形成されている。レバー６は、レバー収容部８Ｂ内に収容可能な略板状に形成されるとともに、レバー収容部８Ｂ内の底面において回動軸１９周りに回動可能に取付けられている。
【００１６】
レバー６の周縁部にはスリット２０を介して係止アーム２１が形成されており、スリット２０側へ撓み可能となっている。図１等に示すように、係止アーム２１はレバー収容部８Ｂ内の側壁に向けて延び、その先端部はレバー収容部８Ｂ内の側壁に突出して形成された係止突部２２に係止可能となっている。レバー６は係止アーム２１が係止突部２２に係止されることで、図１に示す時計周りの回動が規制された状態に保持される。以下、図１、４、６に示すレバー６の位置を初期位置と言う。但し、係止アーム２１と係止突部２２との厚み方向の掛かり代は小さく、かつ係止突部２２における係止面２２Ａはテーパ面となっているため、両者の係止は、雌雄のコネクタの嵌合に伴って雄コネクタ側の解除リブが当接することによって解除可能となっていて、この係止が解除されることによってレバー６の回動操作が許容される。また、レバー６が初期位置にあるときに図示反時計周りへ回動することは、レバー６において係止アーム２１と反対側の周縁部がレバー収容部８Ｂの内壁に干渉することによって規制されている。
【００１７】
図１、４，６に示すように、レバー６にはカム溝２３が形成され、その一端（入口）はレバー６の周縁部に開口している。図４に示すように、レバー６が初期位置にあるときには、カム溝２３の一端側がレバー収容部８Ｂの導入用開口１５の途中に露出している。このときには、カム溝２３の開口（入口）が嵌合方向前方を向くようにしてある。これにより、レバー６が初期位置に保持されている状態で、雌雄コネクタが浅く嵌合したときには、雄コネクタに設けられたカムフォロアがカム溝２３の入口内に進入することができる。
【００１８】
また、図４，６に示すように、レバー６には撓み可能なロックアーム１７が形成されている。このロックアーム１７は、レバー６が初期位置から回動操作されて雌雄コネクタが正規嵌合するまでレバー６が回動されたときに、この回動位置（嵌合完了位置）でレバー収容部８Ｂ側と係止することで、レバー６をその回動位置（嵌合完了位置）に解除可能に保持する役割りを果たす。
【００１９】
本体部８Ａの背面側には四隅部および上縁部及び下縁部の幅方向中央の計６か所において電線カバー１３を雄コネクタハウジング８に取付けるための取付け爪１４が設けられている（図６では四隅部に設けられたもののうち上段側に配されたもののみが示されている）。各取付け爪１４は本体部８Ａの背面から嵌合方向後方へ突出している。電線カバー１３は雌コネクタハウジング８の背面から引き出された各電線Ｗを、設定された導出方向へ矯正するためのものである。
【００２０】
次に、電線カバー１３の構成について説明すると、電線カバー１３は合成樹脂製であり、図８乃至図１０に示されているように、電線Ｗを覆うカバー部１３Ａと電線Ｗの導出方向を矯正する矯正部１３Ｂとから一体に形成されている。
【００２１】
カバー部１３Ａは雌コネクタハウジング８の本体部８Ａの背面に向けて開口するキャップ状に形成されており、雌コネクタハウジング８の背面から引き出された電線群を一括して収容することができる。カバー部１３Ａは雌コネクタハウジング８に装着した状態における後面側が後方へ膨出するようにして形成され、この膨出部分の幅方向（図８，９の左右方向）の片側には電線Ｗの引き出し口３０が開口している。この図は、カバー部１３Ａにおける膨出部分の頂部から開口縁に至る範囲に亘って切欠き形成されている。また、図における嵌合方向後部側（膨出部分の頂部側）には断面略Ｃ字形状をなす前記矯正部１３Ｂが外方へ向けて突出している。矯正部１３Ｂは嵌合方向に対し斜め方向を向いて延出している。雌コネクタハウジング８の背面から引き出された電線Ｗはこの矯正部１３Ｂに沿って斜め方向に導出され、矯正部１３Ｂと共にテープ巻きされて保持される。
【００２２】
また、図１０に示すように、カバー部１３Ａの開口縁部において前記した各取付け爪１４に対応した位置にはそれぞれ装着突部２４がそれぞれ内向きに突出形成されている。これら各装着突部２４と各取付け爪１４とは電線カバーを図１に示す取付け姿勢と図４に示す取付け姿勢のいずれの取り付け姿勢においても係止できるようになっている。すなわち、電線カバー１３は雌コネクタハウジング８の背面に対し、矯正部１３Ｂ（引き出し口３０）を幅方向一側（図１に示す左側）に向ける取付け姿勢（第１の取付け姿勢）と矯正部１３Ｂを幅方向他側（図４に示す右側）に向ける取付け姿勢（第２の取付け姿勢）との２つの取付け姿勢を選択して取り付けることができる。また、いずれの取付け姿勢で装着される場合においても、カバー部１３Ａの開口縁はそのほぼ全周に亘って雌コネクタハウジング８の背面に突き当てられた状態となっている。
【００２３】
なお、図１０に示すように、所定の装着突部２４に対してはカバー部１３Ａに抜き孔２８を設けてこれらの成形を可能にしている。
【００２４】
さらに、図９に示すように、カバー部１３Ａにおいて長辺側に位置する両側壁のうち一方の側壁の開口縁部には検知凹所２５（検知部位）が設けられている。この検知凹所２５は上記側縁において、幅方向に関する中心から所定距離だけ引き出し口３０側へ寄った部位に切り欠き形成されている。検知凹所２５は略方形状に形成され、電線カバー１３が雌コネクタハウジング８に装着されたときには、雌コネクタハウジング８の背面側に向けて開口する。
【００２５】
一方、図２に示すように、雌コネクタハウジング８の嵌合面（前面）には二つの検知路２６Ａ、２６Ｂの前端側が開口し、検知窓２７Ａ、２７Ｂを形成している。両検知路２６Ａ、２６Ｂに対しては、図３に示すように、両検知窓２７Ａ、２７Ｂを通して一対の検知プローブ２９Ａ、２９Ｂが挿通可能である。両検知窓２７Ａ、２７Ｂは、雌コネクタハウジング８の本体部８Ａとレバー収容部８Ｂとのほぼ境界となる高さ位置に配されている。一方の検知窓２７Ａは雌コネクタハウジング８の幅方向の中心線上に配され、他方の検知窓２７Ｂはこの中心線から幅方向一方向（図２に示す右方）へ一定距離だけずれて配されている。
【００２６】
両検知路２６Ａ、２６Ｂは図３、５に示すように、共に嵌合方向に沿って延出し、後端側は雌コネクタハウジング８の背面に貫通している。両検知路２６Ａ、２６Ｂは、雌コネクタハウジング８の内部で検知窓の開口幅より充分に拡幅して形成され、そのままの開口幅で背面に開口している。両検知路２６Ａ、２６Ｂのうち幅方向の中心から一方側へずれたもの（偏心側検知路２６Ｂ）は、図５に示すように電線カバー１３が第２の取付け姿勢で装着されているときには、検知凹所２５がその延長線上に位置し、検知プローブ２９Ｂの先端が検知凹所２５内に突入して非干渉となるようにしてある。しかし、図３に示すように、電線カバー１３が第１の取付け姿勢で装着されているときには、検知凹所２５とは非連通となるため、検知プローブ２９Ｂは電線カバー１３のカバー部１３Ａの開口縁に突き当たって干渉するようにしてある。
【００２７】
一方、両検知路２６Ａ、２６Ｂのうち幅方向の中心に位置するもの（中央側検知路２６Ａ）は、図３、図５に示すように、電線カバー１３が第１、第２のいずれの取付け姿勢で装着されている場合にも、検知凹所２５とは非連通であり、検知プローブ２９Ａの先端が電線カバー１３の開口縁と干渉するようになっている。
【００２８】
なお、両検知プローブ２９Ａ、２９Ｂは共に検知装置（図示しない）に設けられた検知回路に接続されており、検知プローブ２９Ａ、２９Ｂが雌コネクタハウジング８から突出するか否かによってそれぞれのオン・オフを検出するスイッチング手段を構成している。本実施例の場合、突出した場合（電線カバー１３と非干渉の状態）にはオフ状態として検出され、突出しない場合（電線カバー１３と干渉した状態）にはオン状態として検出される。
【００２９】
次に、上記のように構成された本実施例の作用効果を説明する。雌コネクタは求められる仕様に応じて電線カバー１３を第１の取付け姿勢とするか、第２の取付け姿勢とするかが選択される。図１等に示す第１の取付け姿勢が選択される場合には、電線カバー１３の引き出し口３０および矯正部１３Ｂを図１等に示すように図示左向きの姿勢で雌コネクタハウジング８の背面に対向させる。そして、雌コネクタハウジング８の背面から引き出されている各電線Ｗを束ねつつカバー部１３Ａ内に収容させるとともに、引き出し口３０から引き出した状態としておく。その状態で、各装着突部２４と対応する各取付け爪１４とを係止させれば、電線カバー１３が第１の取付け姿勢で雌コネクタハウジング８に装着される。かくして、引き出し口３０から引き出された電線Ｗは矯正部１３Ｂと共にテープ巻きされ、その結果、電線Ｗは図１に示すように嵌合方向に対して図示左斜め後方向きに矯正された状態で外方に導出される。
【００３０】
電線カバー１３を図４に示す第２の取付け姿勢で装着することが選択される場合には、引き出し口３０及び矯正部１３Ｂを図４に示すように図示斜め後方を向け、上記と同様の手順にて雌コネクタハウジング８に装着すればよい。
【００３１】
電線カバー１３が装着された状態の雌コネクタＦは、雄コネクタとの嵌合現場に搬入される前に、電線カバー１３が求められている仕様通りの取付け姿勢で取り付けられているか否かの検査がなされる。
【００３２】
図３に示すように、電線カバー１３が第１の取付け姿勢で装着されている場合には、雌コネクタハウジング８の両検知窓２７Ａ、２７Ｂを通して検知路２６Ａ、２６Ｂへそれぞれ検知プローブ２９Ａ、２９Ｂが挿通される。電線カバー１３が第１の取付け姿勢にあるときには、両検知路２６Ａ、２６Ｂの後端には共にカバー部１３Ａの開口縁がほぼ密着して位置している。したがって、両検知プローブ２９Ａ、２９Ｂが挿通されると、これらは共にカバー部１３Ａの開口縁に突き当たる（干渉状態）。このため、検知プローブ２９Ａ、２９Ｂの双方がオン状態となり、これにより、検知装置では、電線カバー１３が第１の取付け姿勢で装着されている、との判定がなされる。
【００３３】
一方、図５に示すように、電線カバー１３が第２の取付け姿勢で装着されている場合には、両検知プローブ２９Ａ、２９Ｂのうち中央側検知路２６Ａに挿通されたもの２９Ａはカバー部１３Ａの開口縁に突き当たって干渉状態（オン状態）となるが、偏心側検知路２６Ｂに挿通されたもの２９Ｂは検知凹所２５に進入して非干渉状態となるため、偏心側ではオフ状態として検知される。このことにより、検知装置では電線カバー１３が第２の取付け姿勢で装着されている、との判定がなされる。
【００３４】
また、図７に示すように、電線カバー１３の装着忘れあるいは電線カバー１３を取り付けない仕様の場合には、両検知プローブ２９Ａ、２９Ｂは共に雌コネクタハウジング８から後方へ突き出され（非干渉状態）、双方がオフ状態となる。このことにより、検知装置では電線カバー１３が雌コネクタハウジング８に装着されてない、との判定がなされる。
【００３５】
以上のように、本実施例によれば、両検知プローブ２９Ａ、２９Ｂの突き出し長さの違いをもって電線カバー１３が第１の取付け姿勢にあるのか、第２の取付け姿勢にあるのか、さらには非装着の仕様であるのかを確実に判定することができる。したがって、電線カバー１３が誤った仕様で後工程へと流動させてしまうことがなくなる。
【００３６】
また、本実施例では電線カバー１３に対する検知プローブ２９Ａ、２９Ｂの干渉部位を、カバー部１３Ａの開口縁に設定している。すなわち、電線カバー１３は検知プローブ２９Ａ、２９Ｂからの突き当て力をカバー部１３Ａの開口縁で受承するようにしているため、電線カバー１３を変形から保護することができる。
【００３７】
＜他の実施例＞
本発明は上記記述及び図面によって説明した実施例に限定されるものではなく、例えば次のような実施例も本発明の技術的範囲に含まれる。
（１）上記実施例では電線カバー１３の装着の正誤を電気的に判定する方式を示したが、機械式に判定する方式であってもよい。
（２）上記実施例では、カバー部１３Ａの開口縁部を切り欠いて開口させることによって検知凹所２５を形成したが、開口させることなく開口縁部の一部を薄肉化して検知プローブとの干渉を回避するようにしてもよい。
（３）上記実施例では、検知路２６Ａ、２６Ｂを嵌合方向に沿って形成したが、検知路は必ずしも嵌合方向に沿って形成される必要はなく、検知窓２７Ａ、２７Ｂを側面に開口させて嵌合方向と交差するようにして形成してもよい。
（４）上記実施例では、検知路を一対設けたが、検知路の数は決して限定されるべきものではなく、一つだけでもよい。
（５）上記実施例では、本発明を雌コネクタ側に適用した場合を示したが、雄コネクタ側に適用することも可能である。
（６）上記実施例では、取付け爪１４を雌コネクタハウジング８側に突出形成したが、電線カバー１３側に突出形成するようにしてもよい。
（７）上記実施例では、本発明をレバー式コネクタに適用した場合を示したが、本発明はレバーを備えない形式のコネクタにも適用可能である。
【符号の説明】
【００３８】
８…雌コネクタハウジング
９…キャビティ
１３…電線カバー
１３Ａ…カバー部
１３Ｂ…矯正部
２５…検知凹所（検知部位）
２６Ａ、２６Ｂ…検知路
２９Ａ、２９Ｂ…検知プローブ（検知部材）
Ｗ…電線
【図１】
0005994765.tif 000002
【図２】
0005994765.tif 000003
【図３】
0005994765.tif 000004
【図４】
0005994765.tif 000005
【図５】
0005994765.tif 000006
【図６】
0005994765.tif 000007
【図７】
0005994765.tif 000008
【図８】
0005994765.tif 000009
【図９】
0005994765.tif 000010
【図１０】
0005994765.tif 000011